(57)【特許請求の範囲】
【請求項１】
腰部および大腿部を覆うべく両側一対のベルト挿通口付き伸縮性スパッツ体と、両腸骨および仙骨を覆うべく該スパッツ体背部の外面中心に一部が縫着されると共に両端が自由端とされてなる係着部材付き上段非弾性ベルトと、両股関節および両腸骨を覆うべくスパッツ体背部の内面中心に一部が縫着されると共に両端が自由端とされ、該両自由端がベルト挿通口を通して各々外方に突設せしめられてなる係着部材付き下段弾性ベルトとよりなり、上記スパッツ体を人体に着用せしめつつ、上段非弾性ベルトの両自由端を各々両腸骨および仙骨に沿って腰部に巻付けると共に、下段弾性ベルトの両自由端を各々両股関節から両腸骨に沿って交差状に引張せしめつつ、対応する上段非弾性ベルトに係着部材を介して係着せしめるべく構成されてなることを特徴とする、骨盤サポート装具。  
【請求項２】
上段非弾性ベルトの両自由端外面には下段弾性ベルトの係着位置決め用目盛部が各々形
成されてなることを特徴とする、請求項１記載の骨盤サポート装具。   
【請求項３】
スパッツ体の背部内面には仙腸関節をサポートすべく仙骨サポーターが取着されてなる
ことを特徴とする、請求項１または２記載の骨盤サポート装具。
【発明の詳細な説明】
【技術分野】
【０００１】
本発明は、骨盤サポート装具に関し、さらに詳細には、骨盤を常に正しい位置に矯正的
にサポートせしめつつ運動機能を有効に発揮せしめることが出来る、各種スポーツのアス
リートに好適な骨盤サポート装具に関する。
【背景技術】
【０００２】
一般に、現代人の大半は、運動不足による筋肉の弱体化と悪い姿勢の多い生活習慣によ
り骨盤が開いて後に傾斜している方が多く見受けられる。更に、中でも各種のスポーツの
アスリートには、競技によって差があるものの過度な運動などにより慢性的に腰痛を抱え
ている比率が極めて高いことも一般的に知られている。そして、腰痛だけにとどまらず様
々な慢性病を併発することが指摘されている。
【０００３】
ところで、かかる骨盤を矯正するサポート装具としては、本願出願人が先に開示した骨
盤矯正ベルト、即ち、弾性を有する布地製でかつ主として腸骨および仙腸関節を覆う上段
ベルト片と、同弾性を有する布地製でかつ主として股関節を覆う下段ベルト片とを備え、
該上下段ベルト片の両端部は各々重合状態に結合されると共に、中間部分は複数の弾性を
有する布地製連結片により互いに連結され、かつ、上下段ベルト片の両端結合部どうしが
係着部材を介して着脱自在に連結すべく構成された基本構成を有する、骨盤矯正ベルトが
知られている（特許文献１、特許文献２、特許文献３参照）。    
【０００４】
そして、上述の如く構成された従来例は、上下段ベルト片を各々人体の腸骨・仙腸関節
・股関節個所に当てがいつつ、上下段ベルト片の両端結合部どうしを係着部材により適度
の締付け力でもって連結せしめることにより装着し、骨盤を常に正しい位置に安定せしめ
て矯正せしめるものである。
【先行技術文献】
【特許文献】
【０００５】
【特許文献１】特開平１１−５６８８７号公報
【特許文献２】特開２００１−８７２９５号公報
【特許文献３】特開２０１０−１１５３０３号公報
【発明の概要】
【発明が解決しようとする課題】
【０００６】
ところで、上記従来例は、単に弾性を有する２本の上下段ベルト片を人体の腸骨・仙腸
関節・股関節個所に当てがいつつその弾発力により締付けて矯正的にサポートするもので
、肌に直接着用するものであるため着用後のサイズ調節などが困難であることと、腰の左
右から４本の巾広い弾性ベルト片で緊締するため、装着後は表面にひびく（上着の表面に
下着の形が出て見苦しいこと）という難点があった。また、従来例では大腿部に弾性ベル
ト片のずりあがりを防ぐ幅７ｃｍで面ファスナーを用いて留める機能が備えてあるが、ア
スリートにとっては妨げになると共に美的感覚に欠けるという難点があった。        
【０００７】
本発明は、従来例の課題を解決し、特に、アスリート用に適した１本の下段弾性ベルト
で両腸骨並びに両股関節の４点を同時にサポートする構造となっている上に、競技中でも
必要に応じて上段非弾性ベルトと下段弾性ベルトは係着部材の調節で緊締パワーの変更が
容易に出来るものである。また、伸縮性のスパッツ体を用いることで下段弾性ベルトの位
置がずり上がることがなくなった。そのため、人体の腸骨・仙骨・股関節個所に各々当て
がいつつ適正な弾発力でもって常に骨盤を正しい位置に矯正的にサポートせしめ、スムー
ズに運動機能を有効に発揮せしめることが出来る、各種スポーツのアスリートに好適な骨
盤サポート装具を提供しようとするものである。
【課題を解決するための手段】
【０００８】
上記の課題を解決するため、本願請求項１記載の発明は、腰部および大腿部を覆うべく
両側一対のベルト挿通口付き伸縮性スパッツ体と、両腸骨および仙骨を覆うべく該スパッ
ツ体背部の外面中心に一部が縫着されると共に両端が自由端とされてなる係着部材付き上段非弾性ベルトと、両股関節および両腸骨を覆うべくスパッツ体背部の内面中心に一部が縫着されると共に両端が自由端とされ、該両自由端がベルト挿通口を通して各々外方に突設せしめられてなる係着部材付き下段弾性ベルトとよりなり、上記スパッツ体を人体に着用せしめつつ、上段非弾性ベルトの両自由端を各々両腸骨および仙骨に沿って腰部に巻付けると共に、下段弾性ベルトの両自由端を各々両股関節から両腸骨に沿って交差状に引張せしめつつ、対応する上段非弾性ベルトに係着部材を介して係着せしめるべく構成されてなることを特徴とする、骨盤サポート装具を要旨とするものである。
【０００９】
本願請求項２記載の発明は、上段非弾性ベルトの両自由端外面には下段弾性ベルトの係
着位置決め用目盛部が各々形成されてなることを特徴とする、請求項１記載の骨盤サポー
ト装具を要旨とするものである。
【００１０】
本願請求項３記載の発明は、スパッツ体の背部内面には仙腸関節をサポートすべく仙骨
サポーターが取着されてなることを特徴とする、請求項１または２記載の骨盤サポート装
具を要旨とするものである。
【発明の効果】
【００１１】
本発明の請求項１記載の発明は、上述のように構成されているから、特に、アスリート
用に適した１本の下段弾性ベルトで両腸骨並びに両股関節の４点を同時にサポートする構
造となっている上に、競技中でも必要に応じて上段非弾性ベルトと下段弾性ベルトは係着
部材の調節で緊締パワーの変更が容易に出来るものである。また、伸縮性のスパッツ体を
用いることで下段弾性ベルトの位置がずり上がることがなくなった。そのため、上段非弾
性ベルトおよび下段弾性ベルトを人体の各々腸骨・仙骨・股関節に当てがいつつ、交差状
に引張する下段弾性ベルトの適正な弾発力でもって骨盤を正しい位置に矯正的にサポート
せしめ、スムーズに運動機能を有効に発揮せしめることが出来るのみならず、良好な着用
感を呈するものである。
【００１２】
本発明の請求項２記載の発明は、上述のように構成されているから、下段弾性ベルトは
目盛部を目印として引張せしめつつ上段非弾性ベルトに係着せしめることが出来るもので
あって、常に下段弾性ベルトの弾発力を調整せしめつつ容易に、しかも適正位置に係着せ
しめることが出来るものである。
【００１３】
本発明の請求項３記載の発明は、上述のように構成されているから、仙骨サポーターを
仙腸関節に当てがいつつ有効にサポートすることが出来るものである。
【図面の簡単な説明】
【００１４】
【図１】本発明の一実施例を示す一部を破砕した正面図である。
【図２】本発明の一実施例を示す背面図である。
【図３】図１のＡ−Ａ線に沿う一部拡大断面図である。
【図４】実施例のスパッツ体２を着用せしめつつ、上段非弾性ベルト４の一端に下段弾性ベルト７の一端を係着せしめた使用状態を示す正面図である。
【図５】実施例のスパッツ体２を着用せしめつつ、下段弾性ベルト７を交差状に引張せしめて上段非弾性ベルト４に係着せしめた使用状態を示す正面図である。
【図６】図５に示す使用状態の背面図である。
【図７】図５に示す使用状態の側面図である。
【発明を実施するための形態】
【００１５】
以下に、本発明を実施するための形態を図面に示す一実施例に基づいて説明する。
【００１６】
図１〜図７は本発明の一実施例を示すもので、同図中、１は骨盤サポート装具、２は該
骨盤サポート装具１を構成する伸縮性スパッツ体で、該スパッツ体２は後記する人体１１
の腰部１２および大腿部１３を覆う大きさにスパンテックスなどの伸縮性素材でもって形
成されると共に、両側に一対のベルト挿通口３が形成されている。４は後記する人体１１
の両腸骨１６および仙骨１７を覆うべく該スパッツ体２の背部外面中心に一部が縫着されると共に両端が自由端とされてなる布地製の上段非弾性ベルト、５は該上段非弾性ベルト４の外面に止着された雄面ファスナー、６は該雄面ファスナー５の両端部に各々形成された後記する下段弾性ベルト７の係着位置決め用目盛部で、該上段非弾性ベルト４の寸法は
、例えば、Ｍ寸基準として幅が約８ｃｍ、長さは縫着点を中心として左右に約３０ｃｍに設定せしめるとよい。７は後記する人体１１の両股関節１９および両腸骨１６を覆うべくスパッツ体２の背部内面中心に一部が縫着されると共に両端が自由端とされ、該両自由端がベルト挿通口３を通して各々外方に突設されてなる下段弾性ベルト、８は上記上段非弾性ベルト４の雄面ファスナー５に係着せしめるべく該下段弾性ベルト７の両端内面に各々止着された雌面ファスナーで、該下段弾性ベルト７はポリウレタン繊維やアクリル繊維などの弾性繊維でもって形成されると共に、該下段弾性ベルト７の寸法は、例えば、Ｍ寸基準として幅が約８ｃｍ、長さは縫着点を中心として左右に約３８ｃｍに設定せしめるとよい。９は後記する仙腸関節１８をサポートすべくスパッツ体２の背部内面にポケット部材１０を介して取着されたシリコンなどの弾性部材よりなる仙骨サポーターである。   
【００１７】
その他、１１は人体、１２は該人体１１の腰部、１３は大腿部、１４は骨盤、１５は腰
椎、１６は腸骨、１７は仙骨、１８は仙骨関節、１９は股関節、２０は大腿骨、２１は恥
骨結合部を各々示す。
【００１８】
そして、上述の如く構成された骨盤サポート装具１は、図４〜図７に図示するように、
先ず、スパッツ体２を人体１１に着用せしめ、腰部１２および大腿部１３を被覆せしめる
と共に、仙骨サポーター９を仙腸関節１８に当てがいつつサポートせしめる。しかるのち
、上段非弾性ベルト４の両自由端を各々対応する両腸骨１６および仙骨１７に当てがいつ
つスパッツ体２の前部がわに巻付けると共に、下段弾性ベルト７の両自由端を各々両股関
節１９から両腸骨１６に沿って交差状に引張せしめ、その交差部に恥骨結合部２１を挾み
こみつつ対応する上段非弾性ベルト４の自由端に雌雄面ファスナー５・８を介して緊締状
に係着せしめることにより装着せしめる。
【００１９】
このさい、骨盤サポート装具１は着用する伸縮性のスパッツ体２により腰部１１と大腿
部１３に安定的に支持せしめることが出来るもので、下段弾性ベルト７の位置がずり上る
おそれがないのみならず、仙骨サポーター９により仙腸関節１８を有効にサポートするこ
とが出来るものである。また、上段非弾性ベルト４を両腸骨１６および仙骨１７に当てが
いつつ、下段弾性ベルト７を両股関節１９から両腸骨１６に沿って交差状に引張せしめ、
上段非弾性ベルト４に緊締状に係着せしめるものであるから、常に人体１１の骨盤１４、
特に両腸骨１６並びに両股関節１９を同時に左右から引張する下段弾性ベルト７の両自由
端でもって４点（両腸骨１６と両股関節１９）を矯正的にサポートせしめることが出来る
ものであり、ひいては、各種スポーツにおけるアスリートのスムーズな運動機能を有効に
発揮せしめることが出来るものである。さらに、下段弾性ベルト７の係着は上段非弾性ベ
ルト４の目盛部６を目印として弾発力を調整せしめつつ容易に、しかも適正位置に係着せ
しめることが出来るのみならず、競技中においても必要に応じて適宜下段弾性ベルト７と
の係着位置を変更せしめて緊締力を調整することが出来るものである。
【００２０】
なお、上記実施例において、上段非弾性ベルト４と下段弾性ベルト７の係着は雌雄面フ
ァスナー５・８により行なうものとされているが、これに限定されるものではなく、例え
ば、雌雄カギホックなど公知の係着部材を使用してもよいものである。
【符号の説明】
【００２１】
１  骨盤サポート装具
２  スパッツ体
３  ベルト挿通口
４  上段非弾性ベルト
５  雄面ファスナー
６  目盛部
７  下段弾性ベルト
８  雌面ファスナー
９  仙骨サポーター
１１  人体
１２  腰部
１３  大腿部
１４  骨盤
１６  腸骨
１７  仙骨
１８  仙腸関節
１９  股関節
【図１】
0005959123.tif 000002
【図２】
0005959123.tif 000003
【図３】
0005959123.tif 000004
【図４】
0005959123.tif 000005
【図５】
0005959123.tif 000006
【図６】
0005959123.tif 000007
【図７】
0005959123.tif 000008